(57)【特許請求の範囲】
【請求項１】
各々の軸筒の軸方向の全長が異なる２種以上の直液式筆記具からなる直液式筆記具群であって、前記各々の直液式筆記具が、ペン先と、該ペン先の後端に接続されるインキ吸蔵体と、該インキ吸蔵体の後方に配置され、インキを直に貯溜するインキタンクと、前記インキ吸蔵体と前記インキタンクとの間に形成される隔壁と、前記ペン先を前端に備えるとともに前記インキ吸蔵体、前記インキタンク、及び前記隔壁を内部に収容した軸筒とからなり、前記各々の隔壁が、前記インキ吸蔵体と前記インキタンクとの間のインキ及び空気の流通を可能にする流通路を備えるとともにインキタンクの前端開口部と接続される接続管部を後面に備え、前記各々の直液式筆記具の隔壁の前方に、インキ吸蔵体の後端面と当接可能な当接壁部を形成し、前記各々の直液式筆記具の当接壁部の前端から隔壁の後端までの軸方向の長さを異なるものにしたことを特徴とする直液式筆記具群。
【請求項２】
前記各々の直液式筆記具のインキタンクを共通部品により構成した請求項１記載の直液式筆記具群。
【請求項３】
前記各々の直液式筆記具のインキ吸蔵体を共通部品により構成した請求項１または２記載の直液式筆記具群。
【請求項４】
前記各々の直液式筆記具の隔壁の前面に、内部に流通路を備えた連通管部を前方に突設させ、前記連通管部をインキ吸蔵体の内部に挿入し、前記連通管部の側壁外面に当接壁部を接続してなる請求項１、２または３記載の直液式筆記具群。
【請求項５】
前記各々の当接壁部が軸方向に延びるリブからなる請求項１、２、３または４記載の直液式筆記具群。
【発明の詳細な説明】
【技術分野】
【０００１】
本発明は、直液式筆記具群に関する。詳細には、各々の軸筒の軸方向の全長が異なる２種以上の直液式筆記具からなる直液式筆記具群に関する。
【背景技術】
【０００２】
従来この種の直液式筆記具おいて、特許文献１には、インキ吸蔵体中のインキをペン体に伝達する筆記具であって、インキ吸蔵体の後端にカートリッヂインキ筒を接続し、このインキ筒内のインキをインキ吸蔵体に補充可能としたカートリッヂインキ補充式筆記具が開示されている。
【０００３】
【特許文献１】実開昭６０−６９６９０号公報
【発明の開示】
【発明が解決しようとする課題】
【０００４】
前記特許文献１の直液式筆記具において、ペン先の種類、あるいはユーザーの使い勝手やユーザーの外観デザイン上の好みなどに対応するために、軸筒の軸方向の全長を異なるものにした複数種の形態を提供する必要がある。前記軸筒の軸方向の全長が異なる複数種の直液式筆記具を提供する場合、軸筒の種類毎に、軸筒内に収容する部品を用意すると、部品点数の増加により製造コストが上昇し、その結果、ユーザーに安価に提供することが困難となる。また、軸筒の種類毎に、軸筒内に収容する部品を用意する場合、種類の異なる軸筒の間で、部品の組立時、部品の種類を誤り、適正でない部品を軸筒内に組み込むおそれがある。
【０００５】
本発明は、前記従来の問題点を解決するものであって、各々の直液式筆記具の軸筒の軸方向の全長が異なる場合であっても、軸筒内の部品を共通化でき、部品点数の増加を抑え、安価に提供できるとともに、部品の組立時、適正でない部品を誤って軸筒内に組み込むことを防止できる直液式筆記具群を提供するものである。
【課題を解決するための手段】
【０００６】
（構成１）
本発明は、各々の軸筒３Ｘ・３Ｙの軸方向の全長が異なる２種以上の直液式筆記具Ｘ・Ｙからなる直液式筆記具群であって、各々の直液式筆記具Ｘ・Ｙが、ペン先１Ｘ・１Ｙと、該ペン先１Ｘ・１Ｙの後端に接続されるインキ吸蔵体２Ｘ・２Ｙと、該インキ吸蔵体２Ｘ・２Ｙの後方に配置され、インキを直に貯溜するインキタンク１１Ｘ・１１Ｙと、前記インキ吸蔵体２Ｘ・２Ｙと前記インキタンク１１Ｘ・１１Ｙとの間に形成される隔壁７Ｘ・７Ｙと、前記ペン先１Ｘ・１Ｙを前端に備えるとともに前記インキ吸蔵体２Ｘ・２Ｙ、前記インキタンク１１Ｘ・１１Ｙ、及び前記隔壁７Ｘ・７Ｙを内部に収容した軸筒３Ｘ・３Ｙとからなり、前記各々の隔壁７Ｘ・７Ｙが、前記インキ吸蔵体２Ｘ・２Ｙと前記インキタンク１１Ｘ・１１Ｙとの間のインキ及び空気の流通を可能にする流通路８１Ｘ・８１Ｙを備えるとともにインキタンク１１Ｘ・１１Ｙの前端開口部と接続される接続管部９Ｘ・９Ｙを後面に備え、前記各々の直液式筆記具Ｘ・Ｙの隔壁７Ｘ・７Ｙの前方に、インキ吸蔵体２Ｘ・２Ｙの後端面と当接可能な当接壁部７１Ｘ・７１Ｙを形成し、前記各々の直液式筆記具Ｘ・Ｙの当接壁部７１Ｘ・７１Ｙの前端から隔壁７Ｘ・７Ｙの後端までの軸方向の長さＬＸ・ＬＹを異なるものにしたこと（構成１）を要件とする。
【０００７】
前記構成１の直液式筆記具群は、各々の直液式筆記具Ｘ・Ｙの当接壁部７１Ｘ・７１Ｙの前端から隔壁７Ｘ・７Ｙの後端までの軸方向の長さＬＸ・ＬＹを異なるものにしたことにより、容易に各々の軸筒３Ｘ・３Ｙの軸方向の全長を異なるものにできる。その結果、異なる種類の直液式筆記具Ｘ・Ｙの間において、軸筒３Ｘ・３Ｙ内に収容する部品を容易に共通化でき、その結果、部品点数の増加を抑え、安価に提供できるとともに、部品の組立時、適正でない部品を誤って軸筒３Ｘ・３Ｙ内に組み込むことを防止できる。
【０００８】
（構成２）
前記構成１の直液式筆記具群において、前記各々の直液式筆記具Ｘ・Ｙのインキタンク１１Ｘ・１１Ｙを共通部品により構成したこと（構成２）が好ましい。
【０００９】
前記構成２の直液式筆記具群は、インキタンク１１Ｘ・１１Ｙの組立時、適正でないインキタンクを誤って軸筒３Ｘ・３Ｙ内に組み込むおそれがない。
【００１０】
（構成３）
前記構成１または２の直液式筆記具群において、前記各々の直液式筆記具Ｘ・Ｙのインキ吸蔵体２Ｘ・２Ｙを共通部品により構成したこと（構成３）が好ましい。
【００１１】
前記構成３の直液式筆記具群は、インキ吸蔵体２Ｘ・２Ｙの組立時、適正でないインキ吸蔵体を誤って軸筒３Ｘ・３Ｙ内に組み込むおそれがない。特に、前記構成３の直液式筆記具群は、インキタンク１１Ｘ・１１Ｙ及びインキ吸蔵体２Ｘ・２Ｙの２部品を共通部品により構成したことにより、より一層、部品点数を減少させ、安価に提供できる。
【００１２】
（構成４）
前記構成１、２または３の直液式筆記具群において、前記各々の直液式筆記具Ｘ・Ｙの隔壁７Ｘ・７Ｙの前面に、内部に流通路８１Ｘ・８１Ｙを備えた連通管部８Ｘ・８Ｙを前方に突設させ、前記連通管部８Ｘ・８Ｙをインキ吸蔵体２Ｘ・２Ｙの内部に挿入し、前記連通管部８Ｘ・８Ｙの側壁外面に当接壁部７１Ｘ・７１Ｙを接続してなること（構成４）が好ましい。
【００１３】
前記構成４の直液式筆記具群は、各々の直液式筆記具Ｘ・Ｙにおいて、当接壁部７１Ｘ・７１Ｙの前端から隔壁７Ｘ・７Ｙの後端（即ち流通路８１Ｘ・８１Ｙの後端開口部）までの軸方向の長さＬＸ・ＬＹが異なることに伴い、連通管部８Ｘ・８Ｙの前端から隔壁７Ｘ・７Ｙの後端までの軸方向の長さが異なったとしても、連通管部８Ｘ・８Ｙの前端から当接壁部７１Ｘ・７１Ｙの前端までの軸方向の長さは、各々の直液式筆記具Ｘ・Ｙの間において、一定にすることできる。その結果、複数種の直液式筆記具Ｘ・Ｙの間において、インキ吸蔵体２Ｘ・２Ｙ内への連通管部８Ｘ・８Ｙの挿入長さを一定にでき、インキ吸蔵体２Ｘ・２Ｙの性能（即ち、インキタンク１１Ｘ・１１Ｙの内圧上昇に応じた余剰インキを一時的に保持する機能、及びインキタンク１１Ｘ・１１Ｙからペン先１Ｘ・１Ｙへインキを誘導する機能）を一定に維持できる。また、前記構成４の直液式筆記具群は、前記連通管部８Ｘ・８Ｙの側壁外面に当接壁部７１Ｘ・７１Ｙを接続してなることにより、隔壁７Ｘ・７Ｙに対する連通管部８Ｘ・８Ｙの折れ曲がりを防止できる。尚、本発明において、前記連通管部８Ｘ・８Ｙは、隔壁７Ｘ・７Ｙの前面より、少なくとも１本突設されていればよい。
【００１４】
（構成５）
前記構成１乃至４のいずれかの直液式筆記具群において、前記各々の当接壁部７１Ｘ・７１Ｙが軸方向に延びるリブからなること（構成５）が好ましい。それにより、当接壁部７１Ｘ・７１Ｙがインキ吸蔵体２Ｘ・２Ｙの後端面を完全に塞がずに、インキ吸蔵体２Ｘ・２Ｙの後端面の空気流通を可能にする。その結果、インキタンク１１Ｘ・１１Ｙ内のインキ１３Ｘ・１３Ｙをインキ吸蔵体２Ｘ・２Ｙの後端まで保持可能となり、インキ吸蔵体２Ｘ・２Ｙのインキ保持性能が向上し、インキタンク１１Ｘ・１１Ｙの内圧上昇に応じた余剰インキをインキ吸蔵体２Ｘ・２Ｙ内に十分に保持するこができる。
【発明の効果】
【００１５】
本発明は構成１により、異なる種類の直液式筆記具の間において、軸筒内に収容する部品を容易に共通化でき、その結果、部品点数の増加を抑え、安価に提供できるとともに、部品の組立時、適正でない部品を誤って軸筒内に組み込むことを防止できる。
【００１６】
本発明は構成２により、インキタンクの組立時、適正でないインキタンクを誤って軸筒内に組み込むおそれがない。
【００１７】
本発明は構成３により、インキ吸蔵体の組立時、適正でないインキ吸蔵体を誤って軸筒内に組み込むおそれがない。
【００１８】
本発明は構成４により、複数種の直液式筆記具の間において、インキ吸蔵体内への連通管部の挿入長さを一定にでき、インキ吸蔵体の性能を一定に維持できる。また、前記構成４により、隔壁に対する連通管部の折れ曲がりを防止できる。
【００１９】
本発明は構成５により、インキ吸蔵体の後端面の空気流通を可能にでき、インキ吸蔵体のインキ保持性能が向上する。
【発明を実施するための最良の形態】
【００２０】
本発明の実施の形態の直液式筆記具群は、第１の直液式筆記具Ｘと第２の直液式筆記具Ｙとからなる。
【００２１】
第１の直液式筆記具Ｘ及び第２の直液式筆記具Ｙについて以下に説明する。
図１及び図２に、第１の直液式筆記具Ｘを示し、図３及び図４に、第２の直液式筆記具Ｙを示す。
【００２２】
・第１の直液式筆記具
前記第１の直液式筆記具Ｘは、ペン先１Ｘと、前記ペン先１Ｘの後端に接続されるインキ吸蔵体２Ｘと、前記インキ吸蔵体２Ｘの後方に配置される中間部材６Ｘと、前記中間部材６Ｘの後方に配置されるインキタンク１１Ｘと、前端部で前記ペン先１Ｘを保持し且つ内部に前記インキ吸蔵体２Ｘ、前記中間部材６Ｘ、及び前記インキタンク１１Ｘの３部品を収容する軸筒３Ｘとからなる。
【００２３】
・第２の直液式筆記具
前記第２の直液式筆記具Ｙは、ペン先１Ｙと、前記ペン先１Ｙの後端に接続されるインキ吸蔵体２Ｙと、前記インキ吸蔵体２Ｙの後方に配置される中間部材６Ｙと、前記中間部材６Ｙの後方に配置されるインキタンク１１Ｙと、前端部で前記ペン先１Ｙを保持し且つ内部に前記インキ吸蔵体２Ｙ、前記中間部材６Ｙ、及び前記インキタンク１１Ｙの３部品を収容する軸筒３Ｙとからなる。
【００２４】
・ペン先
前記第１の直液式筆記具Ｘにおいて、ペン先１Ｘは、合成樹脂製繊維（例えば、ポリエステル繊維、アクリル繊維、ナイロン繊維等）の樹脂加工により得られる棒状体である。前記ペン先１Ｘの前端は、砲弾状に研削される。前記ペン先１Ｘの後端部外周面は、テーパ状に面取りされる。
【００２５】
前記第２の直液式筆記具Ｙにおいて、ペン先１Ｙは、合成樹脂製繊維（例えば、ポリエステル繊維、アクリル繊維、ナイロン繊維等）の樹脂加工により得られる棒状体である。前記ペン先１Ｙの前端は、砲弾状に研削される。前記ペン先１Ｙの後端部外周面は、テーパ状に面取りされる。本実施の形態において、前記第１の直液式筆記具Ｘのペン先１Ｘの外径が、前記第２の直液式筆記具Ｙのペン先１Ｙの外径よりも全体に大きく設定されている。それにより、第１の直液式筆記具Ｘは、第２の直液式筆記具Ｙに比べて太い筆跡幅が得られる。
【００２６】
・インキ吸蔵体
前記第１の直液式筆記具Ｘにおいて、インキ吸蔵体２Ｘは、円柱状の合成樹脂製繊維（例えば、ポリエステル繊維）の加工体よりなる。前記インキ吸蔵体２Ｘの外周面には、円筒状の外皮が被覆されている。前記外皮は、合成樹脂製フィルム（例えば、ポリエチレンテレフタレート製フィルム）よりなる。前記インキ吸蔵体２Ｘの前端面の軸心にペン先１Ｘの後端が突き刺し挿入され、前記ペン先１Ｘの後端が前記インキ吸蔵体２Ｘの内部前方に位置される。
【００２７】
前記第２の直液式筆記具Ｙにおいて、インキ吸蔵体２Ｙは、円柱状の合成樹脂製繊維（例えば、ポリエステル繊維）の加工体よりなる。前記インキ吸蔵体２Ｙの外周面には、円筒状の外皮が被覆されている。前記外皮は、合成樹脂製フィルム（例えば、ポリエチレンテレフタレート製フィルム）よりなる。前記インキ吸蔵体２Ｙの前端面の軸心にペン先１Ｙの後端が突き刺し挿入され、前記ペン先１Ｙの後端が前記インキ吸蔵体２Ｙの内部前方に位置される。本実施の形態において、第１の直液式筆記具Ｘのインキ吸蔵体２Ｘと、第２の直液式筆記具Ｙのインキ吸蔵体２Ｙとは共通部品である。
【００２８】
・軸筒
前記第１の直液式筆記具Ｘにおいて、軸筒３Ｘは、前軸４Ｘと、該前軸４Ｘの後端開口部に着脱自在に螺着される後軸５Ｘとからなり、前軸４Ｘ及び後軸５Ｘは、両者共に、合成樹脂（例えば、ポリプロピレン、ポリエチレン等）の射出成形により得られる筒状体である。前記前軸４Ｘは、ペン先１Ｘの外周面を保持する先細部４１Ｘと、該先細部４１Ｘより後方に連設され、インキ吸蔵体２Ｘ及び隔壁７Ｘ及びインキタンク１１Ｘ前部が収容される本体部４２Ｘとからなる。前記後軸５Ｘは、前端が開口され且つ後端が閉鎖された有底筒状体であり、前記後軸５Ｘの前端開口部が前記前軸４Ｘの後端開口部に螺着されると、前記後軸５Ｘ内部にインキタンク１１Ｘの後部が収容される。
【００２９】
前記第２の直液式筆記具Ｙにおいて、軸筒３Ｙは、前軸４Ｙと、該前軸４Ｙの後端開口部に着脱自在に螺着される後軸５Ｙとからなり、前軸４Ｙ及び後軸５Ｙは、両者共に、合成樹脂（例えば、ポリプロピレン、ポリエチレン等）の射出成形により得られる筒状体である。前記前軸４Ｙは、ペン先１Ｙの外周面を保持する先細部４１Ｙと、該先細部４１Ｙより後方に連設され、インキ吸蔵体２Ｙ及び隔壁７Ｙ及びインキタンク１１Ｙ前部が収容される本体部４２Ｙとからなる。前記後軸５Ｙは、前端が開口され且つ後端が閉鎖された有底筒状体であり、前記後軸５Ｙの前端開口部が前記前軸４Ｙの後端開口部に螺着されると、前記後軸５Ｙ内部にインキタンク１１Ｙの後部が収容される。
【００３０】
前記第１の直液式筆記具Ｘにおいて、前軸４Ｘの内面（即ち先細部４１Ｘの内面から本体部４２Ｘの前部内面まで）には、前後方向に延びる複数本のリブ４３Ｘが一体に形成される。前記リブ４３Ｘには、前記前軸４Ｘの先細部４１Ｘと本体部４２Ｘとの接続部の近傍において、段形状の規制壁部４３１Ｘが形成される。前記規制壁部４３１Ｘにインキ吸蔵体２Ｘの前端面が軸方向に当接し、前記本体部４２Ｘの前部内面のリブ４３Ｘにインキ吸蔵体２Ｘの外周面が圧接保持される。前記先細部４１Ｘ内面のリブ４３Ｘにより、ペン先１Ｘの外周面が圧接保持される。前記リブ４３Ｘの、前記ペン先１Ｘの外周面を保持する箇所と、前記インキ吸蔵体２Ｘの外周面を保持する箇所との間に、筒状壁部４３２Ｘが一体に形成される。
【００３１】
前記第２の直液式筆記具Ｙにおいて、前軸４Ｙの内面（即ち先細部４１Ｙの内面から本体部４２Ｙの前部内面まで）には、前後方向に延びる複数本のリブ４３Ｙが一体に形成される。前記リブ４３Ｙには、前記前軸４Ｙの先細部４１Ｙと本体部４２Ｙとの接続部の近傍において、段形状の規制壁部４３１Ｙが形成される。前記規制壁部４３１Ｙにインキ吸蔵体２Ｙの前端面が軸方向に当接し、前記本体部４２Ｙの前部内面のリブ４３Ｙにインキ吸蔵体２Ｙの外周面が圧接保持される。前記先細部４１Ｙ内面のリブ４３Ｙにより、ペン先１Ｙの外周面が圧接保持される。前記リブ４３Ｙの、前記ペン先１Ｙの外周面を保持する箇所と、前記インキ吸蔵体２Ｙの外周面を保持する箇所との間に、筒状壁部４３２Ｙが一体に形成される。
【００３２】
前記第１の直液式筆記具Ｘにおいて、前記リブ４３Ｘにより、インキ吸蔵体２Ｘの外周面と本体部４２Ｘの内面との間、インキ吸蔵体２Ｘの前端面と前軸４Ｘの内面との間、及びペン先１Ｘの外周面と先細部４１Ｘの内面との間に、空気通路が形成される。前記空気通路の前側は、前軸４Ｘの前端より外部に開口されるとともに、前記空気通路の後側は、インキ吸蔵体２Ｘの後端面と連通している。即ち、前記空気通路により、インキ吸蔵体２Ｘの前端面及びインキ吸蔵体２Ｘの後端面が、外気と連通される。
【００３３】
前記第２の直液式筆記具Ｙにおいて、前記リブ４３Ｙにより、インキ吸蔵体２Ｙの外周面と本体部４２Ｙの内面との間、インキ吸蔵体２Ｙの前端面と前軸４Ｙの内面との間、及びペン先１Ｙの外周面と先細部４１Ｙの内面との間に、空気通路が形成される。前記空気通路の前側は、前軸４Ｙの前端より外部に開口されるとともに、前記空気通路の後側は、インキ吸蔵体２Ｙの後端面と連通している。即ち、前記空気通路により、インキ吸蔵体２Ｙの前端面及びインキ吸蔵体２Ｙの後端面が、外気と連通される。
【００３４】
前記第１の直液式筆記具Ｘの軸筒３Ｘと、前記第２の直液式筆記具Ｙの軸筒３Ｙとは、軸方向の全長及び外径が異なる。具体的には、前記第１の直液式筆記具Ｘに用いる軸筒３Ｘは、前記第２の直液式筆記具Ｙに用いる軸筒３Ｙに比べ、軸方向の全長が短く且つ全体の外径が大きく設定される。
【００３５】
・中間部材
前記第１の直液式筆記具Ｘにおいて、中間部材６Ｘは、合成樹脂（例えば、ポリプロピレン、ポリエチレン等）の射出成形より得られる。前記中間部材６Ｘは、前記インキ吸蔵体２Ｘとインキタンク１１Ｘとを区画する隔壁７Ｘと、前記隔壁７Ｘの前面より前方に突出され且つインキ吸蔵体２Ｘの内部に突き刺し接続される複数本（具体的には２本）の連通管部８Ｘと、前記隔壁７Ｘの後面より後方に突出され且つインキタンク１１Ｘの前端開口部に挿着される接続管部９Ｘと、前記隔壁７Ｘの後面より後方に突出され且つ軸筒３Ｘの内面（本体部４２Ｘの内面）に固着される取付筒部１０Ｘとを備える。軸筒３Ｘ及び隔壁７Ｘによって形成される空間（即ち吸蔵体収容部）に、インキ吸蔵体２Ｘが収容される。前記第１の直液式筆記具Ｘにおいて、前記取付筒部１０Ｘは接続管部９Ｘの基部外周を包囲している。前記接続管部９Ｘには栓体１２Ｘの片側を押圧するための突片９１Ｘが一体に形成される。前記隔壁７Ｘは円板状であり、前記連通管部８Ｘの各々、前記接続管部９Ｘ、及び前記取付筒部１０Ｙは、円筒状である。
【００３６】
前記第２の直液式筆記具Ｙにおいて、中間部材６Ｙは、合成樹脂（例えば、ポリプロピレン、ポリエチレン等）の射出成形より得られる。前記中間部材６Ｙは、前記インキ吸蔵体２Ｙとインキタンク１１Ｙとを区画する隔壁７Ｙと、前記隔壁７Ｙの前面より前方に突出され且つインキ吸蔵体２Ｙの内部に突き刺し接続される複数本（具体的には２本）の連通管部８Ｙと、前記隔壁７Ｙの後面より後方に突出され且つインキタンク１１Ｙの前端開口部に挿着される接続管部９Ｙと、前記隔壁７Ｙの前面より前方に突出され且つ軸筒３Ｙの内面（本体部４２Ｙの内面）に固着される取付筒部１０Ｙとを備える。軸筒３Ｙ及び隔壁７Ｙによって形成される空間（即ち吸蔵体収容部）に、インキ吸蔵体２Ｙが収容される。前記第２の直液式筆記具Ｙにおいて、前記取付筒部１０Ｙは各々の連通管部８Ｙの基部外周及び当接壁部７１Ｙを包囲している。前記接続管部９Ｙには栓体１２Ｙの片側を押圧するための突片９１Ｙが一体に形成される。前記隔壁７Ｙは円板状であり、前記連通管部８Ｙの各々、前記接続管部９Ｙ、及び前記取付筒部１０Ｙは、円筒状である。
【００３７】
前記第１の直液式筆記具Ｘにおいて、隔壁７Ｘ、連通管部８Ｘ、接続管部９Ｘ、及び取付筒部１０Ｘは一体に連設される。即ち、中間部材６Ｘにより、隔壁７Ｘ、連通管部８Ｘ、接続管部９Ｘ、及び取付筒部１０Ｘを１部品で構成できる。
【００３８】
前記第２の直液式筆記具Ｙにおいて、隔壁７Ｙ、連通管部８Ｙ、接続管部９Ｙ、及び取付筒部１０Ｙは一体に連設される。即ち、中間部材６Ｙにより、隔壁７Ｙ、連通管部８Ｙ、接続管部９Ｙ、及び取付筒部１０Ｙを１部品で構成できる。
【００３９】
・当接壁部
前記第１の直液式筆記具Ｘにおいて、図２（２）に示すように、隔壁７Ｘの前面には、軸方向に延びる板状のリブよりなる当接壁部７１Ｘが一体に形成される。前記当接壁部７１Ｘがインキ吸蔵体２Ｘの後端面と当接される。前記当接壁部７１Ｘにより、前記隔壁７Ｘと前記インキ吸蔵体２Ｘの後端面との間には、外気と連通する隙間が形成される。前記隙間は、前記空気通路を介して、外気と連通される。前記当接壁部７１Ｘは、横断面放射状（ここでは十字状）に形成される。前記当接壁部７１Ｘの一部は各々の連通管部８Ｘの基部の間に形成され、各々の連通管部８Ｘの基部側壁が連結される。それにより、各々の連通管部８Ｘの屈曲強度が向上し、各々の連通管部８Ｘの隔壁７Ｘに対する折れ曲がりを抑えることができる。尚、本発明において、前記当接壁部７１Ｘは、各々の連通管部８Ｘの基部外周面に形成された環状段部より構成してもよい。また、本発明において、前記当接壁部７１Ｘは、各々の連通管部８Ｘの基部外周面に連設しない突出部により構成してもよい。また、本発明において、前記当接壁部７１Ｘは、隔壁７Ｘの前面に接続される構成、軸筒３Ｘの内面（前軸４Ｙ内面）に接続される構成、あるいは隔壁７Ｘの前面及び軸筒３Ｘの内面（前軸４Ｘ内面）に接続される構成が挙げられる。
【００４０】
前記第２の直液式筆記具Ｙにおいて、図４（２）に示すように、隔壁７Ｙの前面には、軸方向に延びる板状のリブよりなる当接壁部７１Ｙが一体に形成される。前記当接壁部７１Ｙがインキ吸蔵体２Ｙの後端面と当接される。前記当接壁部７１Ｙにより、前記隔壁７Ｙと前記インキ吸蔵体２Ｙの後端面との間には、外気と連通する隙間が形成される。前記隙間は、前記空気通路を介して、外気と連通される。前記当接壁部７１Ｙは、横断面放射状（ここでは十字状）に形成される。前記当接壁部７１Ｙの一部は各々の連通管部８Ｙの基部の間に形成され、各々の連通管部８Ｙの基部側壁が連結される。それにより、各々の連通管部８Ｙの屈曲強度が向上し、各々の連通管部８Ｙの隔壁７Ｙに対する折れ曲がりを抑えることができる。尚、本発明において、前記当接壁部７１Ｙは、各々の連通管部８Ｙの基部外周面に形成された環状段部より構成してもよい。また、本発明において、前記当接壁部７１Ｙは、各々の連通管部８Ｙの基部外周面に連設しない突出部により構成してもよい。また、本発明において、前記当接壁部７１Ｙは、隔壁７Ｙの前面に接続される構成、軸筒３Ｙの内面（前軸４Ｙ内面）に接続される構成、あるいは隔壁７Ｙの前面及び軸筒３Ｙの内面（前軸４Ｙ内面）に接続される構成が挙げられる。
【００４１】
前記第１の直液式筆記具Ｘ及び第２の直液式筆記具Ｙにおいて、第１の直液式筆記具Ｘの軸筒３Ｘの軸方向の全長が、第２の直液式筆記具Ｙの軸筒３Ｙの軸方向の全長よりも短く設定されることに対応して、第１の直液式筆記具Ｘの当接壁部７１Ｘが隔壁７Ｘの前面より前方に突出される長さが、第２の直液式筆記具Ｙの当接壁部７１Ｙが隔壁７Ｙの前面より前方に突出される長さよりも小さく設定される。即ち、第１の直液式筆記具Ｘの隔壁７Ｘの後端（即ち流通路８１Ｘが後方に開口される隔壁７Ｘの後端）から各々の当接壁部７１Ｘの前端までの軸方向の長さＬＸは、第２の直液式筆記具Ｙの隔壁７Ｙの後端（即ち流通路８１Ｙが後方に開口される隔壁７Ｙの後端）から各々の当接壁部７１Ｙの前端までの軸方向の長さＬＹよりも短く設定される。
【００４２】
・連通管部
前記第１の直液式筆記具Ｘにおいて、前記連通管部８Ｘの各々の内部には、軸方向に流通路８１Ｘが設けられ、前記流通路８１Ｘが、前記連通管部８Ｘの各々の両端にて開口される。前記連通管部８Ｘの各々の前端は、インキ吸蔵体２Ｘの内部前方に開口され、前記連通管部８Ｘの各々の後端は、隔壁７Ｘの後端より後方へインキタンク１１Ｘ内に開口される。前記各々の連通管部８Ｘは、インキ吸蔵体２Ｘとインキタンク１１Ｘとの間に並列に配置されるため、インキ吸蔵体２Ｘと、その後方のインキタンク１１Ｘとの間に、独立した複数本の流通路８１Ｘが並列に設けられる。前記連通管部８Ｘの各々の流通路８１Ｘは、接続管部９Ｘ内に位置する隔壁７Ｘの、軸心より離れた箇所に貫通される。
【００４３】
前記第２の直液式筆記具Ｙにおいて、前記連通管部８Ｙの各々の内部には、軸方向に流通路８１Ｙが設けられ、前記流通路８１Ｙが、前記連通管部８Ｙの各々の両端にて開口される。前記連通管部８Ｙの各々の前端は、インキ吸蔵体２Ｙの内部前方に開口され、前記連通管部８Ｙの各々の後端は、隔壁７Ｙの後端より後方へインキタンク１１Ｙ内に開口される。前記各々の連通管部８Ｙは、インキ吸蔵体２Ｙとインキタンク１１Ｙとの間に並列に配置されるため、インキ吸蔵体２Ｙと、その後方のインキタンク１１Ｙとの間に、独立した複数本の流通路８１Ｙが並列に設けられる。前記連通管部８Ｙの各々の流通路８１Ｙは、接続管部９Ｙ内に位置する隔壁７Ｙの、軸心より離れた箇所に貫通される。
【００４４】
前記第１の直液式筆記具Ｘにおいて、前記連通管部８Ｘの各々の前端は、インキ吸蔵体２Ｘの後端から前方に突き刺し挿入され、最後はインキ吸蔵体２Ｘの内部前方のペン先１Ｘ後端近傍に位置される。前記連通管部８Ｘの各々の前端がインキ吸蔵体２Ｘに突き刺し挿入される際、連通管部８Ｘの各々の前端がインキ吸蔵体２Ｘの繊維を前方に押圧圧縮する。それにより、各々の連通管部８Ｘの前端近傍のインキ吸蔵体２Ｘの繊維密度が、連通管部８Ｘの各々の前端近傍以外の部分のインキ吸蔵体２Ｘの繊維密度よりも高く設定される。即ち、インキ吸蔵体２Ｘの内部に、繊維密度の高い高密度部２１Ｘと、繊維密度の低い低密度部２２Ｘが形成される。前記連通管部８Ｘの各々の前端はインキ吸蔵体２Ｘの内部前方に位置しているため、インキ吸蔵体２Ｘの内部前方に前記高密度部２１Ｘが形成され、前記高密度部２１Ｘの後方に前記低密度部２２Ｘが形成される。前記各々連通管部８Ｘは、低密度部２２Ｘを後方から前方に貫通し、前記連通管部８Ｘの各々の前端が低密度部２２Ｘより前方の高密度部２１Ｘの内部に位置される。尚、本実施の形態において、前記低密度部２２Ｘの空隙率（気孔率）は、８５％〜９３％に設定され、前記低密度部２２Ｘの空隙率と前記高密度部２１Ｘの空隙率との差は、２０％に設定されている。
【００４５】
前記第２の直液式筆記具Ｙにおいて、前記連通管部８Ｙの各々の前端は、インキ吸蔵体２Ｙの後端から前方に突き刺し挿入され、最後はインキ吸蔵体２Ｙの内部前方のペン先１Ｙ後端近傍に位置される。前記連通管部８Ｙの各々の前端がインキ吸蔵体２Ｙに突き刺し挿入される際、連通管部８Ｙの各々の前端がインキ吸蔵体２Ｙの繊維を前方に押圧圧縮する。それにより、各々の連通管部８Ｙの前端近傍のインキ吸蔵体２Ｙの繊維密度が、連通管部８Ｙの各々の前端近傍以外の部分のインキ吸蔵体２Ｙの繊維密度よりも高く設定される。即ち、インキ吸蔵体２Ｙの内部に、繊維密度の高い高密度部２１Ｙと、繊維密度の低い低密度部２２Ｙが形成される。前記連通管部８Ｙの各々の前端はインキ吸蔵体２Ｙの内部前方に位置しているため、インキ吸蔵体２Ｙの内部前方に前記高密度部２１Ｙが形成され、前記高密度部２１Ｙの後方に前記低密度部２２Ｙが形成される。前記各々連通管部８Ｙは、低密度部２２Ｙを後方から前方に貫通し、前記連通管部８Ｙの各々の前端が低密度部２２Ｙより前方の高密度部２１Ｙの内部に位置される。尚、本実施の形態において、前記低密度部２２Ｙの空隙率（気孔率）は、８５％〜９３％に設定され、前記低密度部２２Ｙの空隙率と前記高密度部２１Ｙの空隙率との差は、２０％に設定されている。
【００４６】
前記第１の直液式筆記具Ｘにおいて、連通管部８Ｘの各々の前端は、インキ吸蔵体２Ｘの軸心から径方向外方に離れた位置に配置される。詳細には、前記連通管部８Ｘの各々の前端は、インキ吸蔵体２Ｘの軸心を中心とする同一円周上に等間隔で配置される。本実施の形態では、連通管部８Ｘは２本であるので、前記連通管部８Ｘはインキ吸蔵体２Ｘの軸心に対して１８０度対称位置に配置される。前記ペン先１Ｘがインキ吸蔵体２Ｘの軸心に位置しているので、前記連通管部８Ｘの各々の前端は、ペン先１Ｘの後端と直接接続されず、ペン先１Ｘと非接触状態にあり、インキ吸蔵体２Ｘの内部前方（高密度部２１Ｘ）を介してインキ流通可能に接続される。また、前記連通管部８Ｘの各々の前端は、ペン先１Ｘの後端より僅かに後方に位置している。
【００４７】
前記第２の直液式筆記具Ｙにおいて、連通管部８Ｙの各々の前端は、インキ吸蔵体２Ｙの軸心から径方向外方に離れた位置に配置される。詳細には、前記連通管部８Ｙの各々の前端は、インキ吸蔵体２Ｙの軸心を中心とする同一円周上に等間隔で配置される。本実施の形態では、連通管部８Ｙは２本であるので、前記連通管部８Ｙはインキ吸蔵体２Ｙの軸心に対して１８０度対称位置に配置される。前記ペン先１Ｙがインキ吸蔵体２Ｙの軸心に位置しているので、前記連通管部８Ｙの各々の前端は、ペン先１Ｙの後端と直接接続されず、ペン先１Ｙと非接触状態にあり、インキ吸蔵体２Ｙの内部前方（高密度部２１Ｙ）を介してインキ流通可能に接続される。また、前記連通管部８Ｙの各々の前端は、ペン先１Ｙの後端より僅かに後方に位置している。
【００４８】
・インキタンク
前記第１の直液式筆記具Ｘにおいて、インキタンク１１Ｘは、前端が開口し且つ後端が閉鎖された有底筒状体であり、合成樹脂の射出成形またはブロー成形により得られる。前記インキタンク１１Ｘ内には、直にインキ１３Ｘが貯溜される。前記インキタンク１１Ｘ内に貯溜されるインキ１３Ｘは、水性インキ、油性インキのいずれであってもよい。
【００４９】
前記第２の直液式筆記具Ｙにおいて、インキタンク１１Ｙは、前端が開口し且つ後端が閉鎖された有底筒状体であり、合成樹脂の射出成形またはブロー成形により得られる。前記インキタンク１１Ｙ内には、直にインキ１３Ｙが貯溜される。前記インキタンク１１Ｙ内に貯溜されるインキ１３Ｙは、水性インキ、油性インキのいずれであってもよい。本実施の形態において、第１の直液式筆記具Ｘのインキタンク１１Ｘと、第２の直液式筆記具Ｙのインキタンク１１Ｙは共通部品である。
【００５０】
前記第１の直液式筆記具Ｘにおいて、前記インキタンク１１Ｘの前端開口部内面は、中間部材６Ｘの接続管部９Ｘ外面が着脱自在に嵌着される。前記インキタンク１１Ｘのインキ１３Ｘが消費され筆記不能となった場合、前記インキタンク１１Ｘを接続管部９Ｘから取り外し、内部にインキ１３Ｘが充填された新たなインキタンク１１Ｘの前端開口部に接続管部９Ｘを挿着する。それにより、再び、筆記可能となる。前記新たなインキタンク１１Ｘの前端開口部は、栓体１２Ｘにより閉鎖されている。接続管部９Ｘをインキタンク１１Ｘの前端開口部に挿着した際、前記栓体１２Ｘが接続管部９Ｘの突片９１Ｘにより後方に押圧され、それにより、栓体１２Ｘが外され、インキタンク１１Ｘの前端開口部が開栓される。
【００５１】
前記第２の直液式筆記具Ｙにおいて、前記インキタンク１１Ｙの前端開口部内面は、中間部材６Ｙの接続管部９Ｙ外面が着脱自在に嵌着される。前記インキタンク１１Ｙのインキ１３Ｙが消費され筆記不能となった場合、前記インキタンク１１Ｙを接続管部９Ｙから取り外し、内部にインキ１３Ｙが充填された新たなインキタンク１１Ｙの前端開口部に接続管部９Ｙを挿着する。それにより、再び、筆記可能となる。前記新たなインキタンク１１Ｙの前端開口部は、栓体１２Ｙにより閉鎖されている。接続管部９Ｙをインキタンク１１Ｙの前端開口部に挿着した際、前記栓体１２Ｙが接続管部９Ｙの突片９１Ｙにより後方に押圧され、それにより、栓体１２Ｙが外され、インキタンク１１Ｙの前端開口部が開栓される。
【図面の簡単な説明】
【００５２】
【図１】本発明の直液式筆記具群を構成する第１の直液式筆記具を示す縦断面図である。
【図２】（１）が図１のＡ−Ａ拡大線断面図、（２）が図１のＢ−Ｂ線拡大断面図、（３）が図１のＣ−Ｃ線拡大断面図である。
【図３】本発明の直液式筆記具群を構成する第２の直液式筆記具を示す縦断面図である。
【図４】（１）が図３のＤ−Ｄ線拡大断面図、（２）が図３のＥ−Ｅ線拡大断面図、（３）が図３のＦ−Ｆ線拡大断面図である。
【符号の説明】
【００５３】
Ｘ  第１の直液式筆記具
Ｙ  第２の直液式筆記具
１Ｘ，１Ｙ  ペン先
２Ｘ，２Ｙ  インキ吸蔵体
２１Ｘ，２１Ｙ  高密度部
２２Ｘ，２２Ｙ  低密度部
３Ｘ，３Ｙ  軸筒
４Ｘ，４Ｙ  前軸
４１Ｘ，４１Ｙ  先細部
４２Ｘ，４２Ｙ  本体部
４３Ｘ，４３Ｙ  リブ
４３１Ｘ，４３１Ｙ  規制壁部
４３２Ｘ，４３２Ｙ  筒状壁部
５Ｘ，５Ｙ  後軸
６Ｘ，６Ｙ  中間部材
７Ｘ，７Ｙ  隔壁
７１Ｘ，７１Ｙ  当接壁部
８Ｘ，８Ｙ  連通管部
８１Ｘ，８１Ｙ  流通路
９Ｘ，９Ｙ  接続管部
９１Ｘ，９１Ｙ  突片
１０Ｘ，１０Ｙ  取付筒部
１１Ｘ，１１Ｙ  インキタンク
１２Ｘ，１２Ｙ  栓体
１３Ｘ，１３Ｙ  インキ
ＬＸ，ＬＹ  当接壁部の前端から隔壁の後端までの軸方向の長さ
【図１】
0004771863.tif 000002
【図２】
0004771863.tif 000003
【図３】
0004771863.tif 000004
【図４】
0004771863.tif 000005